(57)【要約】【課題】本発明は、極めて商品価値の高い画期的な包装タバコ陳列ケースを提供することを目的とする。【解決手段】包装部材にタバコが収納された長方体形状の包装タバコ１を陳列する包装タバコ陳列ケースであって、テーブルやカウンターなどの設置台Ｄに設けられるケース本体４に前記包装タバコ１を伏した状態で積み重ね収納し得る高さを有する複数の収納空間部３が並設され、前記ケース本体４の上部には前記収納空間部３に前記包装タバコ１を導入するための導入開口部５が設けられ、また、前記ケース本体４の下部には前記収納空間部３に積み重ね収納されている前記包装タバコ１のうち最下位置の包装タバコ１を取り出すための取出開口部６が設けられたものである。【選択図】図２
2009160154.tif 000002
【特許請求の範囲】
【請求項１】
包装部材にタバコが収納された長方体形状の包装タバコを陳列する包装タバコ陳列ケースであって、テーブルやカウンターなどの設置台に設けられるケース本体に前記包装タバコを伏した状態で積み重ね収納し得る高さを有する複数の収納空間部が並設され、前記ケース本体の上部には前記収納空間部に前記包装タバコを導入するための導入開口部が設けられ、また、前記ケース本体の下部には前記収納空間部に積み重ね収納されている前記包装タバコのうち最下位置の包装タバコを取り出すための取出開口部が設けられ、前記収納空間部は該収納空間部から前記最下位置の包装タバコを取り出した際、残余のタバコ包装体が自重により降下するように構成され、また、前記収納空間部は前後左右の四方の壁に囲繞された構成であり、左右壁間及び前後壁間は前記包装タバコが降下の際にガイドされるように該包装タバコの左右巾及び前後巾と略同じ若しくは近似した長さに設定され、更に、前記収納空間部には前記前後壁間の長さより小さい小包装タバコが該収納空間部に収納された場合に前記前壁側に生じる隙間を埋めるとともに前記後壁とで該小包装タバコをガイドする出し入れ自在なスペーサーが設けられていることを特徴とする包装タバコ陳列ケース。
【請求項２】
請求項１記載の包装タバコ陳列ケースにおいて、前記ケース本体の後面部に前記取出開口部が設けられていることを特徴とする包装タバコ陳列ケース。
【請求項３】
請求項１，２いずれか１項に記載の包装タバコ陳列ケースにおいて、前記ケース本体は適宜な透明部材で形成されていることを特徴とする包装タバコ陳列ケース。
【請求項４】
請求項１〜３いずれか１項に記載の包装タバコ陳列ケースにおいて、前記スペーサーとして透明部材で形成された水平断面コ字状の長尺体からなるスペーサーを採用し、このスペーサーの巾は前記包装タバコの左右巾と略同一巾若しくは近似した巾に設定されていることを特徴とする包装タバコ陳列ケース。
【請求項５】
請求項１〜４いずれか１項に記載の包装タバコ陳列ケースにおいて、前記ケース本体の側面部には他の前記ケース本体と着脱自在に連結する連結部が設けられていることを特徴とする包装タバコ陳列ケース。
【発明の詳細な説明】
【技術分野】
【０００１】
本発明は、包装部材にタバコが収納された長方体形状の包装タバコを陳列する包装タバコ陳列ケースに関するものである。
【背景技術】
【０００２】
タバコの販売方法として、自動販売機による自動販売方法の他、コンビニエンスストアやスーパーマーケットや飲食店などの店舗にて、販売者がお客と対面して直接販売する対面販売方法がある。
【０００３】
この対面販売方法は、例えばレジの脇に設置される包装タバコ陳列ケースでタバコを陳列して販売することで、清算待ちのお客の購買欲をそそることができるという効果の他、自動販売機を導入した場合と比べたコスト面での効果や、未成年者に対するタバコの販売を防止する効果も得られる。特に、近年、未成年者の喫煙を防止することを目的として、全てのタバコの自動販売機に対して年齢認証機能付きの自動販売機への切り替えが義務付けられたが、この自動販売機の切り替えにはコストが掛かり過ぎるために自動販売機を維持するのが難しい例も多く、よって、この点においても前述した対面販売方法は見直されている。
【０００４】
そこで、従来、前述した対面販売方法で使用される包装タバコ陳列ケースとして、図10に図示したように透明部材（アクリル樹脂）を箱状に形成した包装タバコ陳列ケース52（以下、従来例）が提案されている。
【０００５】
この従来例は、包装タバコ51を起こした状態で前後方向に並べて陳列する構造であり、従来例に対する包装タバコ51の導入及び取り出しは、いずれも後面側（お客が立つ側と反対の側）に設けた開口部52ａから行うことになる。
【発明の開示】
【発明が解決しようとする課題】
【０００６】
ところで、実際の販売の際には、タバコには賞味期限がある為、先に収納した包装タバコ51を優先的に取り出し販売したいが、従来例は、その構造上、先に収納した包装タバコ51は前面側（販売者即ち、取り出す側から見て奥側（お客側））に位置しており、よって、先に収納した包装タバコ51を取り出そうとする場合、開口部52ａから手を奥まで入れてケースの内壁との隙間から取り出すか、或いは、一度全ての包装タバコ51を出して取るかのいずれかをしなければならない。
【０００７】
従って、従来例は、包装タバコ51の取り出しが非常に煩わしく厄介であり、しかも、前述したような取り出し方をした後には、その都度包装タバコ51を整えなければならず煩わしい。
【０００８】
また、従来例は、包装タバコ51を起こした状態で前後方向に並べて陳列する構造である為、設置するスペースの関係（カウンターの奥行き）からその大きさには制限があり、よって、より多くの包装タバコ51を陳列することができない。仮に従来例を大きくして多くの包装タバコ51を陳列できるようにしたとしても、奥行きが深くなって取り出しにくくなる為、現実的ではない。このことから、従来例への包装タバコ51を陳列する作業が頻繁となり煩わしい。
【０００９】
また、従来例は、包装タバコ51の出し入れを良好にすべく開口部52ａが大きく設けられている為、盗難され易い状態（盗難し易い印象を与えてしまう状態）である。
【００１０】
本発明は、前述した問題点を解決する、極めて商品価値の高い画期的な包装タバコ陳列ケースを提供するものである。
【課題を解決するための手段】
【００１１】
添付図面を参照して本発明の要旨を説明する。
【００１２】
包装部材にタバコが収納された長方体形状の包装タバコ１を陳列する包装タバコ陳列ケースであって、テーブルやカウンターなどの設置台Ｄに設けられるケース本体４に前記包装タバコ１を伏した状態で積み重ね収納し得る高さを有する複数の収納空間部３が並設され、前記ケース本体４の上部には前記収納空間部３に前記包装タバコ１を導入するための導入開口部５が設けられ、また、前記ケース本体４の下部には前記収納空間部３に積み重ね収納されている前記包装タバコ１のうち最下位置の包装タバコ１を取り出すための取出開口部６が設けられ、前記収納空間部３は該収納空間部３から前記最下位置の包装タバコ１を取り出した際、残余のタバコ包装体１が自重により降下するように構成され、また、前記収納空間部３は前後左右の四方の壁に囲繞された構成であり、左右壁間及び前後壁間は前記包装タバコ１が降下の際にガイドされるように該包装タバコ１の左右巾及び前後巾と略同じ若しくは近似した長さに設定され、更に、前記収納空間部３には前記前後壁間の長さより小さい小包装タバコ１’が該収納空間部３に収納された場合に前記前壁側に生じる隙間Ｓを埋めるとともに前記後壁とで該小包装タバコ１’をガイドする出し入れ自在なスペーサー７が設けられていることを特徴とする包装タバコ陳列ケースに係るものである。
【００１３】
また、請求項１記載の包装タバコ陳列ケースにおいて、前記ケース本体４の後面部に前記取出開口部６が設けられていることを特徴とする包装タバコ陳列ケースに係るものである。
【００１４】
また、請求項１，２いずれか１項に記載の包装タバコ陳列ケースにおいて、前記ケース本体４は適宜な透明部材で形成されていることを特徴とする包装タバコ陳列ケースに係るものである。
【００１５】
また、請求項１〜３いずれか１項に記載の包装タバコ陳列ケースにおいて、前記スペーサー７として透明部材で形成された水平断面コ字状の長尺体からなるスペーサー７を採用し、このスペーサー７の巾は前記包装タバコ１の左右巾と略同一巾若しくは近似した巾に設定されていることを特徴とする包装タバコ陳列ケースに係るものである。
【００１６】
また、請求項１〜４いずれか１項に記載の包装タバコ陳列ケースにおいて、前記ケース本体４の側面部には他の前記ケース本体４と着脱自在に連結する連結部15が設けられていることを特徴とする包装タバコ陳列ケースに係るものである。
【発明の効果】
【００１７】
本発明は上述のように構成したから、前述した従来例に比し、特に陳列した包装タバコの取り出しを簡易且つ良好に行うことができ、しかも、省スペースに多くの包装タバコを整然と良好な状態で陳列することができ、そして更に、盗難の発生も可及的に抑制することができるなど極めて商品価値の高い画期的な包装タバコ陳列ケースとなる。
【発明を実施するための最良の形態】
【００１８】
好適と考える本発明の実施形態を、図面に基づいて簡単に説明する。
【００１９】
例えばケース本体４の上部に設けた導入開口部５から複数の包装タバコ１を導入すると、この包装タバコ１は収納空間部３に伏した状態で導入された順に積み重ね収納される。
【００２０】
取出開口部６から収納空間部３に収納された包装タバコ１のうち最下位置の包装タバコ１を取り出すと、収納空間部３に積み重ね収納された残余の包装タバコ１は自重により降下する。
【００２１】
従って、先に収納した包装タバコ１を取出開口部６から優先的に取り出すことができ、しかも、高さを有する、即ち、高さ方向に延設される収納空間部３に包装タバコ１を伏した状態で積み重ね収納する構造であり、従来利用されていなかった設置台Ｄ上のスペースを利用した効率の良い構造となる為、省スペースに多くの包装タバコ１を整然と良好な状態で陳列することができる。
【００２２】
また、本発明は、包装タバコ１を例えば一つずつ取り出す程度の大きさに取出開口部６を小さく設計することができる為、盗難の発生も可及的に抑制することができる。
【００２３】
ところで、本発明に係る収納空間部３は、前後左右の四方の壁に囲繞された構成であり、左右壁間及び前後壁間は前記包装タバコ１が降下の際にガイドされるように包装タバコ１の左右巾及び前後巾と略同じ若しくは近似した長さに設定され、更に、前記収納空間部３には、前記前後壁間の長さより小さい小包装タバコ１’が該収納空間部３に収納された場合に前記前壁側に生じる隙間を埋めるとともに前記後壁とで該小包装タバコ１’をガイドする出し入れ自在なスペーサー７が設けられており、この構成により、大きさ（高さ）の異なる包装タバコ１を良好にガイドして良好に降下させることができる。
【００２４】
具体的には、包装タバコ１を収納空間部３に収納した際、仮に収納空間部３の内壁と包装タバコ１との間にある程度以上の隙間Ｓが生じた場合、包装タバコ１が降下の途中で回転して向きが変わるなどして良好に降下せず、しかも、良好な降下が行われないと乱雑な積み重ね状態となるなどして体裁も悪い。
【００２５】
この点、本発明は、前述した構成から、収納空間部３の前後壁でガイドされる長さの包装タバコ１を収納した際には、該包装タバコ１は該収納空間部３の前後壁でガイドされ、良好な降下が行われることになり、一方、この収納空間部３の前後壁間の長さより小さい小包装タバコ１’を収納空間部３に収納する際には、この小包装タバコ１’と前壁側に生じる隙間Ｓをスペーサー７で埋めれば、このスペーサー７の壁と収納空間部３の後壁とで小包装タバコ１’をガイドすることができ、小包装タバコ１’の良好な降下が行われることになる。
【００２６】
従って、種々提供される長さの異なる包装タバコ１に確実に対応して、どのサイズの包装タバコ１であっても良好にガイドして降下させることができ、しかも、整然とした積み重ね状態（良好な陳列状態）が得られることになる。
【実施例】
【００２７】
本発明の具体的な一実施例について図面に基づいて説明する。
【００２８】
本実施例は、包装部材にタバコ（紙巻タバコ）が収納された包装タバコ１を陳列するためのものである。尚、包装タバコ１は、図９(ａ)，(ｂ)に図示したように上面部１ａ，下面部１ｂ，前面部１ｃ，後面部１ｄ，左側面部１ｅ及び右側面部１ｆからなる長方体形状（六面体）であり、この上面部１ａ，下面部１ｂ，前面部１ｃ，後面部１ｄ，左側面部１ｅ及び右側面部１ｆ夫々には収納されたタバコの銘柄表示が施されている。また、包装タバコ１は、収納するタバコの長さによって種々の長さのものが提案されている。
【００２９】
具体的には、本実施例は、テーブルやカウンターなどの設置台Ｄに設置されるケース本体４に、包装タバコ１を伏した状態で積み重ね収納し得る高さを有する収納空間部３を設けたものである。尚、本実施例では、ケース本体４における後述する取出開口部６を設ける部位をケース本体４の後面側としている。
【００３０】
ケース本体４は、図１〜３に図示したように適宜な透明樹脂部材（アクリル樹脂）で形成した横長角筒状体であり、筒孔が上下方向を向く状態で方形板状の接地部10の上面に立設状態に設けられている。
【００３１】
また、ケース体４の内部には、図２，３に図示したように左右巾方向に複数（４枚）の仕切り板11が所定間隔を介して配設されることで複数列（５列）の収納空間部３が左右巾方向に複数並設されている。
【００３２】
この各収納空間部３は、図２，３に図示したように、四方が壁で囲まれた角筒状であり、水平断面形状が包装タバコ１の前面視形状と合致する長方形状に設定されている。
【００３３】
また、各収納空間部３は、図４に図示したように所定の長さＬ１の包装タバコ１を想定した前後壁間に設定され、この各収納空間部３の前後壁８Ａ，８Ｂは、伏した状態の包装タバコ１の水平方向を向いた上面部１ａ及び下面部１ｂ夫々をガイドする部位に設定されている。
【００３４】
従って、長さＬ１の包装タバコ１は、後述する導入開口部５から収納空間部３へ導入された後、伏した状態で前後壁８Ａ，８Ｂでガイドされて当該収納空間部３を降下して積み重ね収納されることになる。
【００３５】
また、ケース本体４の上部開口部は、各収納空間部３に包装タバコ１を導入するための導入開口部５に設定され、一方、ケース本体４の後面部の下方位置には開口部が設けられ、この下部開口部は、当該導入開口部５から導入され各収納空間部３を通過した包装タバコ１を取り出すための取出開口部６に設定されている。
【００３６】
従って、各取出開口部６に供給された最下位置の包装タバコ１を取り出すことで各収納空間部３に積み重ね収納された残余の包装タバコ１が自重により降下して各取出開口部６へ供給されることになる。
【００３７】
また、ケース本体４は透明部材で形成した為、該ケース本体４の外部から各収納空間部３が看取できる構成であり、よって、各収納空間部３に積み重ね収納した包装タバコ１はケース本体４の外部（特に前面部４ａ及び後面部４ｂ）から視認することができる。
【００３８】
また、ケース本体４の上部開口部には蓋体12が設けられている。
【００３９】
この蓋体12は、図１，２，６に図示したように適宜な透明樹脂部材（アクリル樹脂）を平板状に形成したものであり、前述した各仕切り板11の上縁に載置されて各収納空間部３の上部（導入開口部５）を閉塞し得るように構成されている。
【００４０】
また、蓋体12の下面先端側左右位置には突部12ａが形成されており、この突部12ａは、図５に図示したようにケース本体４の後面部４ｂの上縁に係止するものであり、この突部12ａを係止することで当該蓋体12をケース本体４の後面部４ｂに添設状態に配設することができる。
【００４１】
また、本実施例では、図４に図示したように各収納空間部３の前後壁８Ａ，８Ｂでガイドし得る長さＬ１の包装タバコ１よりも（前後壁８Ａ，８Ｂの間よりも）短い長さＬ２の小包装タバコ１’を各収納空間部３に収納する際、前壁８Ａ側に生じる隙間Ｓを埋め後壁８Ｂとで該小包装タバコ１’をガイドするスペーサー７が各収納空間部３に出し入れ自在に設けられている。
【００４２】
このスペーサー７は、図３に図示したように透明樹脂部材（アクリル樹脂）で形成された断面コ字状の長尺体であり、各収納空間部３の導入開口部５から出し入れ自在に設けられている。
【００４３】
また、スペーサー７の厚みは、各収納空間部３における前後壁８Ａ，８Ｂの間隔と、収納する小包装タバコ１’の長さを考慮して適宜設定されている。
【００４４】
また、スペーサー７の長さは、ケース本体４（収納空間部３）の高さと略同一巾若しくは近似した長さに設定されており、この構成から、導入開口部５から取出開口部６まで小包装タバコ１’をガイドする機能を発揮する。
【００４５】
また、スペーサー７の巾は、包装タバコ１の左右巾と略同一巾若しくは近似した巾に設定されており、この構成から、スペーサー７を配設しても該スペーサー７が邪魔にならず包装タバコの上面部１ａに設けられた銘柄表示が良好に看取し得ることになる。
【００４６】
また、本実施例は、ケース本体４の左右側面部４ｃ，４ｄの上下位置に取付孔13が形成されており、この取付孔13は、図３，７，８に図示したように止着部材14（ネジ部材）を介して他のケース本体４と連結したり、別構造のケース４’と連結し得る連結部15として構成されている。
【００４７】
以上の構成からなる本実施例の使用状態について説明する。ここでは、長さＬ２の小包装タバコ１’を収納空間部３に収納する場合について説明する。
【００４８】
先ず、ケース本体４を設置台Ｄに設置し、ケース本体４から蓋体12を取り外して開放状態とする。この設置台Ｄへの設置は、図１に図示したようにケース本体４の前面部を設置台Ｄの前面側に立つお客に向くようにし、ケース体４の後面部を設置台Ｄの後面側に立ち、取出開口部６から包装タバコ１を取り出す販売者に向くように設置する。
【００４９】
続いて、小包装タバコ１’を収納空間部３に収納した際、該小包装タバコ１’と収納空間部３の前壁８Ａとの間に生じる隙間Ｓにスペーサー７を配設する。
【００５０】
続いて、図５に図示したようにケース本体４の上部に設けた導入開口部５から複数の小包装タバコ１’を導入すると、この小包装タバコ１’は収納空間部３に伏した状態で積み重ね収納されるとともに、この導入開口部５から導入され収納空間部３を通過した小包装タバコ１’は、導入された順にケース本体４の下部に設けた取出開口部６に供給される。
【００５１】
続いて、図６に図示したように取出開口部６に供給された最下位置の小包装タバコ１’を取り出すことで、収納空間部３に積み重ね収納された残余の小包装タバコ１’が自重により降下して取出開口部６へ供給される。その後、小包装タバコ１，が減った収納空間部３には、導入開口部５から適宜小包装タバコ１’を導入して補充する。
【００５２】
本実施例は上述のように構成したから、先に収納した包装タバコ１を優先的に取り出すことができ、しかも、高さを有する収納空間部３に包装タバコ１を伏した状態で積み重ね収納する構造であり、従来利用されていなかった設置台Ｄ上のスペースを利用した効率の良い構造となる為、省スペースに多くの包装タバコ１を整然と良好な状態で陳列することができる。
【００５３】
また、本実施例は、包装タバコ１を例えば一つずつ取り出す程度の大きさに取出開口部６を小さく設計することができる為、盗難の発生も可及的に抑制することができる。
【００５４】
また、本実施例は、収納空間部３の前後壁でガイドされる長さの包装タバコ１を収納する際には、当該収納空間部３の前後壁でガイドすることで良好な降下が行われることになり、一方、この収納空間部３の前後壁の長さより小さい小包装タバコ１’を収納空間部３に収納する際には、この小包装タバコ１’と前壁側に生じる隙間Ｓをスペーサー７で埋め、このスペーサー７と後壁とで小包装タバコ１’をガイドすることができ、小包装タバコ１’の良好な降下が行われることになるから、種々提供される長さの異なる包装タバコ１に確実に対応して、どのサイズの包装タバコ１であっても良好にガイドして降下させることができ、しかも、整然とした積み重ね状態（良好な陳列状態）が得られることになる。
【００５５】
また、本実施例は、収納空間部３はケース本体４の左右方向に複数並設されているから、複数の銘柄の包装タバコ１を収納して良好に陳列することができる。
【００５６】
また、本実施例は、ケース本体４の後面部に開口部を設けて取出開口部６を構成したから、この点においても盗難の発生を抑制し得ることになる。
【００５７】
また、本実施例は、ケース本体４は適宜な透明部材で形成したから、外部から収納空間部３に収納した包装タバコ１が良好に看取し得ることになる。
【００５８】
また、本実施例は、ケース本体４の側面部には他のケース本体４と着脱自在に連結する連結部15が設けられているから、例えば設置するスペースに応じて適宜ケース本体４を連結して包装タバコ１を陳列するに良好な状態が得られることになる。
【００５９】
尚、本発明は、本実施例に限られるものではなく、各構成要件の具体的構成は適宜設計し得るものである。
【図面の簡単な説明】
【００６０】
【図１】本実施例の使用状態説明図である。
【図２】本実施例を示す説明斜視図である。
【図３】本実施例を示す説明斜視図である。
【図４】本実施例に係る要部の説明断面図である。
【図５】本実施例に係る要部の使用状態説明図である。
【図６】本実施例に係る要部の使用状態説明図である。
【図７】本実施例に係る要部の説明斜視図である。
【図８】本実施例に係る要部の説明断面図である。
【図９】包装タバコ１の説明図である。
【図１０】従来例を示す説明断面図である。
【符号の説明】
【００６１】
Ｓ  隙間
Ｄ  設置台
１  包装タバコ
１’  小包装タバコ
３  収納空間部
４  ケース本体
５  導入開口部
６  取出開口部
７  スペーサー
15  連結部
【図１】
2009160154.tif 000003
【図２】
2009160154.tif 000004
【図３】
2009160154.tif 000005
【図４】
2009160154.tif 000006
【図５】
2009160154.tif 000007
【図６】
2009160154.tif 000008
【図７】
2009160154.tif 000009
【図８】
2009160154.tif 000010
【図９】
2009160154.tif 000011
【図１０】
2009160154.tif 000012